(57)【要約】【課題】  従来から早漏は円満な夫婦生活を維持できない要因とも成っており、又、男性性器も様々で満足感を与えることのできない男性や、完全勃起ができない男性も増加しており、女性に満足感を与えることができなく成っている実情である。【解決手段】  本発明は、挿入具本体１の先端側をコンドームＣの先端内側形状に沿った略半球形状凸面１ａに形成し、基端側を男性性器の先端部に沿った略半球形状凹面１ｂに形成し、先端から基端までの長さを１０ｍｍ乃至６０ｍｍに形成すると共に最大外径を２０ｍｍ乃至４５ｍｍに形成したものであり、コンドームＣと挿入具本体１を一体成型し、更に、精子貯留部２を形成し、更には、コンドームＣの先端を貫通する貫通孔３を形成し、加えて、胴周に突起、リング状突条、螺旋状突条、スリット１ｃを形成し、更には、微震動発生手段４を内装した。【選択図】  図１
2006289020.tif 000002
【特許請求の範囲】
【請求項１】
コンドームの先端に挿入する挿入具本体であって、前記挿入具本体の先端側をコンドームの先端内側形状に沿った略半球形状凸面に形成し、基端側を男性性器の先端部に沿った略半球形状凹面に形成し、先端から基端までの長さを１０ｍｍ乃至６０ｍｍに形成すると共に最大外径を２０ｍｍ乃至４５ｍｍに形成したことを特徴とするコンドーム用挿入具。
【請求項２】
前記コンドームと前記挿入具本体を一体成型したことを特徴とする請求項１に記載のコンドーム用挿入具。
【請求項３】
前記挿入具本体の略半球形状凹面に開口させた精子貯留部を形成したことを特徴とする請求項１乃至請求項２に記載のコンドーム用挿入具。
【請求項４】
前記精子貯留部は略半球形状凸面に開口させると共にコンドームの先端を貫通する貫通孔を形成したことを特徴とする請求項３に記載のコンドーム用挿入具。
【請求項５】
前記挿入具本体の胴周に少なくとも一つの突起、リング状突条、螺旋状突条、スリットを形成したことを特徴とする請求項１乃至請求項４に記載のコンドーム用挿入具。
【請求項６】
前記挿入具本体にスイッチを設けると共に、該スイッチと電気的に接続させた微震動発生手段を内装したことを特徴とする請求項１乃至請求項５に記載のコンドーム用挿入具。
【発明の詳細な説明】
【技術分野】
【０００１】  本発明はコンドームの先端部に挿入する挿入具本体に関するものであり、更に詳細には、挿入具本体は先端から基端までの長さを１０ｍｍ乃至６０ｍｍに形成されており、コンドームの先端部に挿入することにより、使用状態における男性性器の全長を見かけ上長くすると共に、男性の早漏を食い止めるためのコンドーム用挿入具に関するものである。
【背景技術】
【０００２】  従来から早漏は男性にとって深刻な問題であり、円満な夫婦生活を維持できない要因とも成っており、又、男性性器も様々で小さく、細いため女性に満足感を与えることのできない男性もおり、更に、年齢や社会的なストレスから完全勃起ができない男性も増加しており、女性に満足感を与えることができなく成っている実情である。【０００３】  その為に、先に開示された、例えば、少なくとも一端面が周縁部２を残して開口１ａした塑性外筒１と、その塑性外筒１内に挿入する筒芯方向に綿生地５を張った亀頭圧入穴４を有する弾辱内筒３とから成り、亀頭を亀頭圧入穴４に圧入した状態で塑性外筒１を手指で反転乃至往復動させることにより耐早漏性を鍛練する早漏治療具（特許文献１参照）や、男性の早漏を防止又は軽減するための装置であって、ペニスの周囲にフィットするリングを備えている。このリングは、感覚を鈍化させるための三角形状の細片を有しており、この細片がペニスに対して支持される。更に、上記リングは、ペニスに接触するビード加工面を有している。この装置を着用することで、感覚の鈍化が図られるもの（特許文献２参照）や、保持部前面４を環状体１の前方にやゝ突設し、保持部２内のバイブユニット１０が、ケース１１と、該ケース内に装入される電池１２、モーター１３及びスプリング１４からなり、保持部前面４が圧接を受けるとケース１１内部のスプリング１４の収縮でモーター１３が通電して作動し、若しくは手操作によるスイッチの投入でモーター１３が通電作動して、バイブユニット１０が振動するもの（特許文献３参照）等が公開されている。
【特許文献１】登録実用新案第３０７２５８５号公報
【特許文献２】特表２００２−５０８９９６号公報
【特許文献３】登録実用新案第３０９３１０３号公報
【発明の開示】
【発明が解決しようとする課題】
【０００４】  然し乍ら、少なくとも一端面が周縁部２を残して開口１ａした塑性外筒１と、その塑性外筒１内に挿入する筒芯方向に綿生地５を張った亀頭圧入穴４を有する弾辱内筒３とから成り、亀頭を亀頭圧入穴４に圧入した状態で塑性外筒１を手指で反転乃至往復動させることにより耐早漏性を鍛練する早漏治療具では、男性性器の先端に取り付けるものであるが、耐早漏性の鍛錬するものであり、使用状態で用いるものでは無いものである。【０００５】  更に、男性の早漏を防止又は軽減するための装置であって、ペニスの周囲にフィットするリングを備えている。このリングは、感覚を鈍化させるための三角形状の細片を有しており、この細片がペニスに対して支持される。更に、上記リングは、ペニスに接触するビード加工面を有している。この装置を着用することで、感覚の鈍化が図られるものでは、男性性器の亀頭部にリングで固定するものであり、早漏を防止又は軽減するためには効果を有するものの使用中又は使用後に外れたりして女性性器内に残留する危険性もあるものである。【０００６】  更には、保持部前面４を環状体１の前方にやゝ突設し、保持部２内のバイブユニット１０が、ケース１１と、該ケース内に装入される電池１２、モーター１３及びスプリング１４からなり、保持部前面４が圧接を受けるとケース１１内部のスプリング１４の収縮でモーター１３が通電して作動し、若しくは手操作によるスイッチの投入でモーター１３が通電作動して、バイブユニット１０が振動するものでは、バイブユニット１０は有するものの、男性性器への装着を環状体１で行うため使用中にずれたり、使用後に外れたりして女性性器内に残留する危険性もあるものである。
【課題を解決するための手段】
【０００７】  本発明のコンドーム用挿入具は、前記課題に鑑み、鋭意研鑽の結果、コンドームの先端に挿入する挿入具本体であって、挿入具本体の先端側をコンドームの先端内側形状に沿った略半球形状凸面に形成し、基端側を男性性器の先端部に沿った略半球形状凹面に形成し、先端から基端までの長さを１０ｍｍ乃至６０ｍｍに形成すると共に最大外径を２０ｍｍ乃至４５ｍｍに形成したものであり、更に、コンドームと挿入具本体を一体成型したものであり、更には、挿入具本体の略半球形状凹面に開口させた精子貯留部を形成したものであり、加えて、精子貯留部は略半球形状凸面に開口させると共にコンドームの先端を貫通する貫通孔を形成したものであり、更には、挿入具本体の胴周に少なくとも一つの突起、リング状突条、螺旋状突条、スリットを形成したものであり、更には、挿入具本体にスイッチを設けると共に、スイッチと電気的に接続させた微震動発生手段を内装したものである。
【発明の効果】
【０００８】  本発明のコンドーム用挿入具の挿入具本体は、先端側をコンドームの先端内側形状に沿った略半球形状凸面に形成し、基端側を男性性器の先端部に沿った略半球形状凹面に形成し、長さを１０ｍｍ乃至６０ｍｍに形成してコンドームの先端に挿入することにより、使用中及び使用後においても外れることは無く、また、男性性器の敏感な亀頭部分を覆うように装着できることから、耐早漏性にも対処でき、更には、見かけ上の男性性器の全長の長さを長くできる画期的で実用性の高い発明である。
【発明を実施するための最良の形態】
【０００９】  本発明はコンドームＣの先端部に挿入する挿入具本体１に関するものであり、更に詳細には、挿入具本体１は先端から基端までの長さを１０ｍｍ乃至６０ｍｍに形成されており、コンドームＣの先端部に挿入することにより、使用状態における男性性器の全長を見かけ上長くすると共に、男性の早漏を食い止めるためのコンドーム用挿入具に関するものであり、請求項１に記載のコンドーム用挿入具は、コンドームＣの先端に挿入する挿入具本体１であって、前記挿入具本体１の先端側をコンドームＣの先端内側形状に沿った略半球形状凸面１ａに形成し、基端側を男性性器の先端部に沿った略半球形状凹面１ｂに形成し、先端から基端までの長さを１０ｍｍ乃至６０ｍｍに形成すると共に最大外径を２０ｍｍ乃至４５ｍｍに形成したことを特徴とするものである。【００１０】  更に、請求項２に記載のコンドーム用挿入具は、請求項１に記載のコンドーム用挿入具において、前記コンドームＣと前記挿入具本体１を一体成型したことを特徴とするものである。【００１１】  更には、請求項３に記載のコンドーム用挿入具は、請求項１又は請求項２に記載のコンドーム用挿入具において、前記挿入具本体１の略半球形状凹面１ｂに開口させた精子貯留部２を形成したことを特徴とするものである。【００１２】  加えて、請求項４に記載のコンドーム用挿入具は、請求項３に記載のコンドーム用挿入具において、前記精子貯留部２は略半球形状凸面１ａに開口させると共にコンドームＣの先端を貫通する貫通孔３を形成したことを特徴とするものである。【００１３】  更には、請求項５に記載のコンドーム用挿入具は、請求項１乃至請求項４に記載のコンドーム用挿入具において、前記挿入具本体１の胴周に少なくとも一つの突起、リング状突条、螺旋状突条、スリット１ｃを形成したことを特徴とするものである。【００１４】  更に、請求項６に記載のコンドーム用挿入具は、請求項１乃至請求項５に記載のコンドーム用挿入具において、前記挿入具本体１にスイッチ４ａを設けると共に、該スイッチ４ａと電気的に接続させた微震動発生手段４を内装したことを特徴とするものである。
【実施例】
【００１５】  以下、本発明のコンドーム用挿入具の実施例の図面を用いて詳細に説明すると、図１は本発明のコンドーム用挿入具の実施例の実装状態の断面説明図であり、図２は本発明のコンドーム用挿入具の挿入具本体の次実施例の断面説明図であり、図３は本発明のコンドーム用挿入具の挿入具本体の他実施例の断面説明図であり、図４は本発明のコンドーム用挿入具の挿入具本体のその他の実施例の断面説明図であり、図５は本発明のコンドーム用挿入具の挿入具本体の微震動発生手段を備えた実施例の回路図であり、図６は本発明のコンドーム用挿入具の挿入具本体の微震動発生手段を備えた実施例の断面説明図である。【００１６】  即ち、本発明のコンドーム用挿入具の挿入具本体１は、図１に図示する如く、汎用されているコンドームＣの先端に挿入するものであり、先端から基端までの長さを１０ｍｍ乃至６０ｍｍに形成すると共に、最大外径を２０ｍｍ乃至４５ｍｍに形成したものである。【００１７】  そして、略半球形状凸面１ａは挿入具本体１の先端側に形成するもので、コンドームＣの先端内側形状に沿った形状としており、コンドームＣの先端部に挿入した場合、コンドームＣの先端内側に密着させ安定するようにしたものである。【００１８】  次いで、略半球形状凹面１ｂは挿入具本体１の基端側に形成するもので、男性性器の先端部に沿った形状としており、装着した場合に違和感なく装着できるようにしたものである。【００１９】  更に、挿入具本体１の材質は医療器及び治療器等で認証されている総ての材料を使用できるもので、ポリウレタン、イラストマー、シリコンゴム等の柔軟性を有するものから、硬質合成樹脂、金属等を用い人体に悪影響を及ぼさない材料を使用し勘案して形成するもので、内部に空気を充填した中空のものでも構わないものである。【００２０】  次に、挿入具本体１を装着するには筒状の胴周部を先端方向に捲回させたコンドームＣの先端内側に挿入具本体１の略半球形状凸面１ａを当接させて挿入すると共に、男性性器の先端を略半球形状凹面１ｂに当接して、通常のコンドームＣを装着するように胴周部の捲回を延ばすものである。【００２１】  つまり、挿入具本体１をコンドームＣの先端に挿入して男性性器に装着することにより、挿入具本体１の長さが１０ｍｍ乃至６０ｍｍ有していることから男性性器の見かけ上の長さが確実に長くなるものであり、また、男性性器の敏感な先端部を覆うように装着することから耐早漏用としても使用するものである。【００２２】  次に、図２に図示する如く、挿入具本体１を柔軟な材料を用いて基端側をスカート状に長く延設することで男性性器の敏感な先端部の全体を覆うように装着できるものであり、この場合、図２の点線で図示する如く、基端辺にスリットを形成して拡がるようにし装着を容易にしたものである。【００２３】  更に、挿入具本体１をコンドームＣと一体成型するもので、この場合、挿入具本体１の材質はコンドームＣと同質のものとなり、予め、コンドームＣの先端に装着されているもので、汎用のコンドームＣと同様に使用できるものであり、コンドームＣを製造するときに同材質で一体化したものであるが、コンドームＣと挿入具本体１とを別材質で形成して溶着等の手段で一体化しても構わないものである。【００２４】  更には、挿入具本体１に精子貯留部２を形成したもので、図４に図示する如く、精子貯留部２を略半球形状凹面１ｂに開口させているもので、精子貯留部２の開口は男性性器の放出口に位置するものである。【００２５】  加えて、貫通孔３は精子貯留部２の略半球形状凸面１ａに開口させると共にコンドームＣの先端を貫通させたものであり、避妊を目的としない場合は、女性性器に男性性器から放出された精子が届くようにしているものである。【００２６】  更には、突起、リング状突条、螺旋状突条、スリット１ｃは挿入具本体１の胴周に少なくとも一つを形成するもので、図３に図示するものは２つのリング状突条１ｃを形成しており、図４に図示するものは１つのリング状突条１ｃを形成したものである。【００２７】  そして、微震動発生手段４は挿入具本体１に内装させてもので、図５及び図６に図示する如く、例えば、挿入具本体１のスイッチ４ａをコンドームＣの先端に挿入した状態でオンするように設けると共に、該スイッチ４ａと電気的に接続させた電池４ｂ及び震動装置４ｃ、制御装置４ｄを配設することにより微震動を発生させるものである。
【産業上の利用可能性】
【００２８】  従って、本発明のコンドーム用挿入具の挿入具本体は、コンドームの先端に挿入することにより、使用中及び使用後においても外れることは無く、また、男性性器の敏感な亀頭部分を覆うように装着できることから、耐早漏性にも対処でき、更には、見かけ上の男性性器の全長の長さを長くできると共に、装着も短時間で的確にできるコンドーム用挿入具を提供するものである。
【図面の簡単な説明】
【００２９】
【図１】  図１は本発明のコンドーム用挿入具の実施例の実装状態の断面説明図である。
【図２】  図２は本発明のコンドーム用挿入具の挿入具本体の次実施例の断面説明図である。
【図３】  図３は本発明のコンドーム用挿入具の挿入具本体の他実施例の断面説明図である。
【図４】  図４は本発明のコンドーム用挿入具の挿入具本体のその他の実施例の断面説明図である。
【図５】  図５は本発明のコンドーム用挿入具の挿入具本体の微震動発生手段を備えた実施例の回路図である。
【図６】  図６は本発明のコンドーム用挿入具の挿入具本体の微震動発生手段を備えた実施例の断面説明図である。
【符号の説明】
【００３０】  Ｃ      コンドーム
１      挿入具本体
１ａ    略半球形状凸面
１ｂ    略半球形状凹面
１ｃ    突起、リング状突条、螺旋状突条、スリット
２      精子貯留部
３      貫通孔
４      微震動発生手段
４ａ    スイッチ
４ｂ    電池
４ｃ    震動装置
４ｄ    制御装置
【図１】
2006289020.tif 000003
【図２】
2006289020.tif 000004
【図３】
2006289020.tif 000005
【図４】
2006289020.tif 000006
【図５】
2006289020.tif 000007
【図６】
2006289020.tif 000008